(57)【要約】  方法は、ユーザインターフェースの第１領域に、印刷される少なくとも一つのラベルの画像を表示するためのラベルプレビュー領域を提供すること、及び、ユーザインターフェースの第２領域に、入力ラベルデータのための二つ以上のセルを含むデータ入力領域を提供することを含む。データ入力領域における各セルは、印刷される少なくとも一つのラベルの画像又は印刷される少なくとも一つのラベルの画像の少なくとも一つの領域に対応する。
2016510155.tif 000002
【特許請求の範囲】
【請求項１】
ユーザインターフェースの第１領域に、印刷される少なくとも一つのラベルの画像を表示するためのラベルプレビュー領域を提供すること；
ユーザインターフェースの第２領域に、入力ラベルデータのための二つ以上のセルを含むデータ入力領域を提供すること；を含み、
データ入力領域における各セルは、印刷される少なくとも一つのラベルの画像又は印刷される少なくとも一つのラベルの画像の少なくとも一つの領域に対応する方法。
【請求項２】
前記方法は、データ入力領域に入力されたデータを、対応する、印刷される少なくとも一つのラベルの画像又は印刷される少なくとも一つのラベルの画像の少なくとも一つの領域にマッピングすることを含む請求項１に記載の方法。
【請求項３】
前記マッピングされたデータは、このデータに対応するセルに依存して、印刷される少なくとも一つのラベルの画像又は印刷される少なくとも一つのラベルの画像の少なくとも一つの領域に位置する請求項２に記載の方法。
【請求項４】
前記方法は、ユーザ入力を介する入力に応答して、データ入力領域に入力されたデータを、対応する、印刷される少なくとも一つのラベルの画像又は印刷される少なくとも一つのラベルの少なくとも一つの領域へと移すことを含む請求項１に記載の方法。
【請求項５】
前記ユーザ入力はドラッグ及びドロップ操作を含む請求項４に記載の方法。
【請求項６】
ユーザ入力を介してセルが指定された時、該セル、及び、対応する、少なくとも一つのラベルの画像又は少なくとも一つのラベルの画像の少なくとも一つの領域、の少なくとも一方が強調表示される請求項１〜５のいずれか１項に記載の方法。
【請求項７】
少なくとも一つのラベルの画像又は少なくとも一つのラベルの画像の少なくとも一つの領域がユーザ入力への入力によって指定された時、少なくとも一つのラベルの画像又は少なくとも一つのラベルの画像の少なくとも一つの領域、及び、対応する一つ又は複数のセル、の少なくとも一方が強調表示される請求項１〜６のいずれか１項に記載の方法。
【請求項８】
前記強調表示は、有色背景、陰影背景、閃光背景のうちの少なくとも一つを含む請求項６又は７に記載の方法。
【請求項９】
ユーザ入力を介する指定は、少なくとも一つのラベルの画像又は少なくとも一つのラベルの画像の少なくとも一つの領域、又は、少なくとも一つのセル、のいずれかをセレクタにより選択すること、又は、そのいずれかにセレクタによりマウスポインタを置くことを含む請求項６〜８のいずれか１項に記載の方法。
【請求項１０】
前記二つ以上のセルは、行及び列を含む表構造に配列され、各列及び各行の一方は、一つのラベル又はラベルのグループに対応する請求項１〜９のいずれか１項に記載の方法。
【請求項１１】
前記方法は、ユーザが、前記表構造において行及び列の少なくとも一方を付加又は削除することを可能にすることを含む請求項１０に記載の方法。
【請求項１２】
前記二つ以上のセルは、行及び列を含む前記表構造に配列され、各列にはヘッダー情報が提供される請求項１〜１１のいずれか１項に記載の方法。
【請求項１３】
セルが強調表示された時、対応する列ヘッダーが強調表示される請求項６又は７に従属した場合の請求項１２に記載の方法。
【請求項１４】
外部プログラムから前記データ入力領域へとデータをインポートすること、及び、前記データ入力領域から外部プログラムへとデータをエクスポートすることの一方又は両方を含む請求項１〜１３のいずれか１項に記載の方法。
【請求項１５】
情報入力領域を提供することを含み、前記情報入力領域は、ユーザが、印刷される少なくとも一つのラベルのためのデータのシリーズ化パターンを定義するための情報を入力することを可能にし、前記方法は、前記二以上のセル各々に、前記シリーズ化パターンのデータの一部を入れることを含む請求項１〜１４のいずれか１項に記載の方法。
【請求項１６】
ユーザインターフェースの第１領域に、印刷される少なくとも一つのラベルの画像を表示するためのラベルプレビュー領域を提供すること；
ユーザインターフェースの第２領域に、入力ラベルデータのための二つ以上のセルを含むデータ入力領域を提供すること；を含み、
データ入力領域における各セルは、印刷される少なくとも一つのラベルの画像又は印刷される少なくとも一つのラベルの画像の少なくとも一つの領域に対応し、
前記セルの一つ、又は、印刷される少なくとも一つのラベルの前記画像又は印刷される少なくとも一つのラベルの画像の少なくとも一つの領域がユーザにより指定された時、指定されたセル、又は、指定された、印刷される少なくとも一つのラベルの画像又は印刷される少なくとも一つのラベルの画像の少なくとも一つの領域が強調表示され、かつ、対応するセル、又は、対応する、印刷される少なくとも一つのラベルの画像又は印刷される少なくとも一つのラベルの画像の少なくとも一つの領域も強調表示される方法。
【請求項１７】
コンピュータで実行された際に、請求項１〜１６のいずれか１項に記載の方法を実行するように適合されたコンピュータプログラムコード手段を含むコンピュータプログラム。
【請求項１８】
コントローラを備え、
該コントローラは、印刷される少なくとも一つのラベルを表示するためのラベルプレビュー領域をユーザインターフェースの第１領域に表示するようにディスプレドライバがディスプレイを駆動するためのデータを前記ディスプレイドライバに出力し、かつ、入力ラベルデータのための二つ以上のセルを含むデータ入力領域を、ユーザインターフェースの第２領域に表示するように構成され、
前記コントローラは、前記データ入力領域の各セルを、印刷される少なくとも一つのラベルの画像又は印刷される少なくとも一つのラベルの画像の少なくとも一つの領域に対応させるように構成される装置。
【請求項１９】
前記コントローラは、前記データ入力領域に入力されたデータを、対応する、印刷される少なくとも一つのラベルの画像又は印刷される少なくとも一つのラベルの画像の少なくとも一つの領域にマッピングするように構成される請求項１８に記載の装置。
【請求項２０】
前記コントローラは、このデータに対応するセルに依存して、マッピングされたデータを、印刷される少なくとも一つのラベルの画像又は印刷される少なくとも一つのラベルの画像の少なくとも一つの領域に配置するように構成される請求項１９に記載の装置。
【請求項２１】
ユーザによってセルが指定された時、前記コントローラは、前記セル、及び、前記対応する、少なくとも一つのラベルの画像又は少なくとも一つのラベルの画像の少なくとも一つの領域、の少なくとも一方を強調表示するように構成される請求項１８〜２０のいずれか１項に記載の装置。
【請求項２２】
少なくとも一つのラベルの画像又は少なくとも一つのラベルの画像の少なくとも一つの領域がユーザにより指定された時、前記コントローラは、少なくとも一つのラベルの前記画像又は少なくとも一つのラベルの画像の少なくとも一つの領域、及び、対応する一つ又は複数のセル、の少なくとも一方を強調表示するように構成される請求項１８〜２１のいずれか１項に記載の装置。
【請求項２３】
前記コントローラは、前記二つ以上のセルを行及び列を含む表構造に表示させるように構成され、各列にはヘッダー情報が提供される請求項１８〜２２のいずれか１項に記載の装置。
【請求項２４】
前記コントローラは、セルが強調表示された時、対応する列ヘッダーを強調表示するように構成される請求項１８〜２３のいずれか１項に記載の装置。
【請求項２５】
コントローラを備え、
該コントローラは、印刷される少なくとも一つのラベルを表示するためのラベルプレビュー領域をユーザインターフェースの第１領域に表示するようにディスプレイドライバがディスプレイを駆動するためのデータを前記ディスプレイドライバに出力し、かつ、入力ラベルデータのための二つ以上のセルを含むデータ入力領域を、ユーザインターフェースの第２領域に表示するように構成され、
前記コントローラは、前記データ入力領域の各セルを、印刷される少なくとも一つのラベルの画像又は印刷される少なくとも一つのラベルの画像の少なくとも一つの領域に対応させるように構成され、
前記セルの一つ、又は、印刷される少なくとも一つのラベルの前記画像又は印刷される少なくとも一つのラベルの画像の少なくとも一つの領域がユーザによって指定された時、前記コントローラは、指定されたセル、又は、指定された、印刷される少なくとも一つのラベルの画像又は印刷される少なくとも一つのラベルの画像の少なくとも一つの領域が強調表示されるように構成され、前記コントローラは、対応する、セル、又は、印刷される少なくとも一つのラベルの画像又は印刷される少なくとも一つのラベルの画像の少なくとも一つの領域も強調表示されるように構成される装置。
【発明の詳細な説明】
【技術分野】
【０００１】
いくつかの実施形態は、ラベル上に画像を印刷するためのラベルプリンタのユーザインターフェースに関する。
【背景技術】
【０００２】
既知のラベル印刷装置が、ＥＰ−Ａ−３２２９１８及びＥＰ−Ａ−３２２９１９（ブラザー工業株式会社）、及びＥＰ−Ａ−２６７８９０(Varitronic)に開示されている。ラベル印刷装置はそれぞれ、カセット又はテープ保持ケースを受け入れるためのカセット受け入れベイを含む。ＥＰ−Ａ−２６７８９０において、テープ保持ケースは、インクリボン及び基板テープを収容し、基板テープは、裏当て層に接着剤で固定された上方画像受け取り層を備える。ＥＰ−Ａ−３２２９１８及びＥＰ−Ａ−３２２９１９において、テープ保持ケースは、インクリボン、透明画像受け取りテープ、及び両面粘着テープとを収容する。両面粘着テープは、印刷後、接着剤がコーティングされた両面の一方にて、画像テープに固定され、また、他の接着剤コーティング面から剥離可能な裏当て層を有する。これら両装置では、画像転写媒体(インクリボン)と画像受け取りテープ(基体)は、同じカセットにある。
【０００３】
例えば、ＥＰ−Ａ−５７８３７２において、インクリボン及び基板テープを別個のカセットに収容することも本出願人によって提案されている。
【０００４】
これらの場合のすべてにおいて、画像受け取りテープは、インクリボンとオーバーラップして印刷域へと進む。印刷域は、固定印刷ヘッドとプラテンとからなる。前記印刷ヘッドは、画像をインクリボンから画像受け取りテープへと転写させるために、プラテンに対し押し付けられ得る。これを行う、乾式レタリング又は乾式フィルムインプレッションを含む多くの方法が存在するが、最も一般的な方法は、現在、熱印刷によるものである。該熱印刷では、印刷ヘッドが加熱され、熱がインクをインクリボンから画像受け取りテープへと移す。
【０００５】
他の既知のテープ印刷装置において、いわゆる直接熱テープが使用され、ここでは、画像がインクリボンカセットの介在なしで直接熱テープ上に直接作り出される。印刷ヘッドの要素が加熱され、該熱が直接熱テープ内の化学物質を反応させ、テープ内又はテープ上に画像を作り出させる。
【０００６】
上述したタイプの装置にはキーボードが設けられ、キーボードは、ユーザが、テーププリンタによって印刷される画像を形成するために文字、記号等を入力することを可能にする。キーボードは、通常、文字及び数をそれぞれ入力するためのテキスト文字キー及び数字キーと、いくつかの機能キーを有する。機能キーは、とりわけ、メニューを動作させ、印刷属性が設定されることを可能にする。「スタンドアローン」ラベルプリンタは、ＰＣ又は他のコンピューティング装置に接続されたプリンタを備える「ラベルプリンタシステム」と区別され得る。そのようなラベルプリンタシステムにおいて、ユーザは、ＰＣを使用して印刷のためのラベルを作り出し又は編集し、次いで、印刷データをプリンタに送信し、プリンタが印刷データをラベル媒体上に印刷するようにする。そのようなラベルプリンタシステムにおいて、ユーザは、プリンタのディスプレイではなくＰＣのディスプレイを見て、ラベルを作り出す。また、ラベルを作り出すためのラベル編集ソフトウェアが、プリンタではなくＰＣに格納されて実行される。
【０００７】
対照的に、スタンドアローンラベルプリンタは、ＰＣ又は他のコンピュータとは独立に動作してラベルを印刷する。いつくかのスタンドアローンプリンタは、あるデータを受信するためにＰＣ又は他のコンピュータと接続可能であるが、それらは、それにもかかわらず、印刷用のラベルを作り出すためにＰＣ又は他のコンピュータから独立して動作する。これは、ラベルを作り出すために使用されるラベル編集ソフトウェアがラベルプリンタ自体に格納され実行されるためである。そのため、スタンドアローンラベルプリンタは、通常、一体型ディスプレイを含む。該ディスプレイを介して、ユーザはラベル編集ソフトウェアのインターフェースを見ることができる。
【先行技術文献】
【特許文献】
【０００８】
【特許文献１】ＥＰ−Ａ−３２２９１８
【特許文献２】ＥＰ−Ａ−３２２９１９
【特許文献３】ＥＰ−Ａ−２６７８９０
【特許文献４】ＥＰ−Ａ−５７８３７２
【発明の概要】
【課題を解決するための手段】
【０００９】
第１側面によれば、印刷される少なくとも一つのラベルの画像を表示するためのラベルプレビュー領域を、ユーザインターフェースの第１領域に提供すること；入力ラベルデータのための二つ以上のセルを含むデータ入力領域を、ユーザインターフェースの第２領域に提供すること；を含み、データ入力領域の各セルは、印刷される少なくとも一つのラベルの画像又は印刷される少なくとも一つのラベルの画像の少なくとも一つの領域に対応する方法が提供される。
【００１０】
好ましくは、該方法は、データ入力領域に入力されたデータを、対応する、印刷される少なくとも一つのラベルの前記画像又は印刷される少なくとも一つのラベルの画像の少なくとも一つの領域にマッピングすることを含む。
【００１１】
好ましくは、マッピングされたデータは、前記データと一致するセルに従属して、印刷される少なくとも一つのラベルの前記画像又は印刷される少なくとも一つのラベルの画像の少なくとも一つの領域に配置される。
【００１２】
好ましくは、前記方法は、ユーザ入力に対する入力に応答して、データ入力領域に入力されたデータを、対応する、印刷される少なくとも一つのラベルの画像又は印刷される少なくとも一つのラベルの画像の少なくとも一つの領域に移すことを含む。
【００１３】
好ましくは、ユーザ入力は、ドラッグ及びドロップ操作を含む。
【００１４】
好ましくは、ユーザ入力を介してセルが指定された時、前記セル、及び、対応する少なくとも一つのラベルの画像又は少なくとも一つのラベルの画像の少なくとも一つの領域、の少なくとも一方が強調表示される。
【００１５】
好ましくは、少なくとも一つのラベルの画像又は少なくとも一つのラベルの画像の少なくとも一つの領域がユーザ入力への入力により指定された時、少なくとも一つのラベルの前記画像又は少なくとも一つのラベルの画像の少なくとも一つの領域、及び、対応する一つ又は複数のセルの少なくとも一方が強調表示される。
【００１６】
好ましくは、前記強調表示は、有色背景、陰影背景、閃光背景のうちの少なくとも一つを含む。
【００１７】
好ましくは、ユーザによる指定は、少なくとも一つのラベルの画像又は少なくとも一つのラベルの画像の少なくとも一つの領域、又は、少なくとも一つのセルのいずれかをセレクタにより選択すること、又は、そのいずれかにセレクタによりマウスポインタを置くことを含む。
【００１８】
好ましくは、二つ以上のセルは行及び列を含む表構造に配列され、各列及び各行の一方
は、一つのラベル又はラベルのグループと一致する。
【００１９】
好ましくは、前記方法は、ユーザ入力への入力により、前記表構造の行及び列の少なくとも一方の追加又は除去を可能にすることを含む。
【００２０】
好ましくは、前記方法は、外部プログラムからデータをデータ入力領域へとインポートすること、及び、前記データ入力領域から外部プログラムへとデータをエクスポートすることの一方又は両方を含む。
【００２１】
前記二つ以上のセルは、行及び列を含む表構造に配列され得る。各列にはヘッダー情報が与えられる。
【００２２】
セルが強調表示された時、対応する列ヘッダーが強調表示され得る。
【００２３】
前記方法は、情報入力領域を提供することを含み得る。前記情報入力領域は、印刷される少なくとも一つのラベルのためのデータのシリーズ化パターンを定義するための情報を、ユーザが入力することを可能にする。前記方法は、前記二以上のセル各々に、前記シリーズ化パターンのデータの一部を入れることを含む。
【００２４】
更なる側面において、コンピュータプログラムが提供される。該コンピュータプログラムは、該プログラムがコンピュータで実行される時、上記した方法を実行するように適合されたコンピュータプログラムコード手段を含む。
【００２５】
更なる側面において、コントローラを備える装置が提供される。該コントローラは、印刷される少なくとも一つのラベルを表示するためのラベルプレビュー領域を、ユーザインターフェースの第１領域に表示するようにディスプレイドライバがディスプレイを駆動するためのデータをディスプレイドライバに出力し、かつ、ユーザインターフェースの第２領域に、入力ラベルデータのための二つ以上のセルを含むデータ入力領域を表示するように構成される。前記コントローラは、データ入力領域の各セルを、印刷される少なくとも一つのラベルの画像又は印刷される少なくとも一つのラベルの画像の少なくとも一つの領域と一致させるように構成される。
【００２６】
好ましくは、コントローラは、データ入力領域に入力されたデータを、対応する、印刷される少なくとも一つのラベルの画像又は印刷される少なくとも一つのラベルの画像の少なくとも一つの領域と自動的にマッピングするように構成される。
【００２７】
好ましくは、コントローラは、マッピングされたデータと一致するセルに依存して、印刷される少なくとも一つのラベルの前記画像又は印刷される少なくとも一つのラベルの画像の少なくとも一つの領域に、マッピングされたデータを自動的に配置するように構成される。
【００２８】
好ましくは、前記コントローラは、ユーザ入力に応答して、データ入力領域に入力されたデータを、対応する、印刷される少なくとも一つのラベルの画像又は印刷される少なくとも一つのラベルの画像の少なくとも一つの領域へと移すように構成される。
【００２９】
好ましくは、ユーザ入力は、ドラッグ及びドロップ操作を含む。
【００３０】
好ましくは、セルがユーザにより指定された時、コントローラは、前記セル及び、対応する、少なくとも一つのラベルの画像又は少なくとも一つのラベルの画像の少なくとも一つの領域を強調表示するように構成される。
【００３１】
好ましくは、少なくとも一つのラベルの画像又は少なくとも一つのラベルの画像の少なくとも一つの領域がユーザにより指定された時、コントローラは、少なくとも一つのラベルの前記画像又は少なくとも一つのラベルの画像の少なくとも一つの領域、及び、対応する一つ又は複数のセルを強調表示するように構成される。
【００３２】
好ましくは、前記強調表示は、有色背景、陰影背景、閃光背景のうちの少なくとも一つを含む。
【００３３】
好ましくは、ユーザによる指定は、少なくとも一つのラベルの画像又は少なくとも一つのラベルの画像の少なくとも一つの領域、又は少なくとも一つのセル、のいずれかを、セレクタにより選択すること、又はセレクタでマウスポインタをそのいずれかに配置することを含む。
【００３４】
好ましくは、コントローラは、二つ以上のセルが行及び列を含む表構造に表示されるように構成される。各列及び各行の一方は、一つのラベル又はラベルのグループに対応する。
【００３５】
コントローラは、二つ以上のセルが行及び列を含む表構造に表示されるように構成され得る。各列にはヘッダー情報が与えられる。
【００３６】
コントローラは、セルが強調表示された時、対応する列ヘッダーが強調表示されるように構成され得る。
【００３７】
好ましくは、前記装置は、ユーザが前記表構造に行及び列の少なくとも一方を追加又は削除することを可能にするように構成される。
【００３８】
好ましくは、前記装置は、ユーザが、外部プログラムから前記データ入力領域へのデータのインポート、及び、前記データ入力領域から外部プログラムへのデータのエクスポートの一方又は両方を可能にするように構成される。
【００３９】
前記コントローラは、情報入力領域を提供するように構成され得る。前記情報入力領域は、印刷される少なくとも一つのラベルのためのデータのシリーズ化パターンを定義するための情報をユーザが入力することを可能にする。前記方法は、前記二つ以上のセル各々にデータの前記シリーズ化パターンの一部を入れることを含む。
【００４０】
好ましくは、前記装置は、ラベルプリンタ及びＰＣの一方を備える。
【００４１】
更なる側面において、方法が提供される。該方法は、ユーザインターフェースの第１領域に情報入力領域を提供することを含む。前記情報入力領域は、印刷される少なくとも一つのラベルのためのデータのシリーズ化パターンを定義するための情報をユーザが入力することを可能にする。前記方法は、ディスプレイの第２領域に、二つ以上のセルを含む表を提供することを含む。前記方法は、前記二つ以上のセル各々に、データの前記シリーズ化パターンの一部を入れることを含む。
【００４２】
好ましくは、前記表は、セルの少なくとも一つの行を含む。
【００４３】
好ましくは、前記表は、セルの少なくとも一つの列を含む。
【００４４】
好ましくは、データの前記シリーズ化パターンはセルの複数の行に入れる。
【００４５】
好ましくは、データの前記シリーズ化パターンはセルの複数の列に入れる。
【００４６】
好ましくは、前記表が、前記プレビュー領域に同時に表示されるには大きすぎる場合、ユーザが前記第２領域の周りにスクロールすることを可能にするスクロールバーが与えられる。
【００４７】
好ましくは、データの前記シリーズ化パターンは、二つ以上のアルファベット文字を含み、前記方法は、ユーザが、前記二つ以上のアルファベット文字各々をシリーズ化することを可能することを含む。
【００４８】
好ましくは、前記方法は、ユーザが、前記二つ以上のアルファベット文字各々がシリーズ化される態様を指定することを可能にすることを含む。
【００４９】
更なる側面において、コンピュータプログラムが提供される。該コンピュータプログラムは、コンピュータで実行される時、上述した方法を実行するように適合されたコンピュータプログラムコード手段を含む。
【００５０】
更なる側面において、コントローラを備える装置が提供される。該コントローラは、ユーザインターフェースの第１領域に情報入力領域を表示するためにディスプレイドライバがディスプレイを駆動するためのデータをディスプレイドライバに出力するように構成される。前記情報入力領域は、印刷される少なくとも一つのラベルのためのデータのシリーズ化パターンを定義するための情報を、ユーザが入力することを可能にするように構成される。前記コントローラは、ディスプレイの第２領域に二つ以上のセルを含む表を表示するように構成される。前記コントローラは、前記二つ以上のセル各々に、データの前記シリーズ化パターンの一部を入れるように構成される。
【００５１】
好ましくは、前記表は、セルの少なくとも一つの行を含む。
【００５２】
好ましくは、前記表は、セルの少なくとも一つの列を含む。
【００５３】
好ましくは、前記コントローラは、セルの複数の行に、データの前記シリーズ化パターンを入れるように構成される。
【００５４】
好ましくは、前記コントローラは、セルの複数の列に、データの前記シリーズ化パターンを入れるように構成される。
【００５５】
好ましくは、前記表が大きすぎて前記プレビュー領域に同時に表示されない場合、ユーザが前記第２領域の周りにスクロールすることを可能にするスクロールバーが与えられる。
【００５６】
好ましくは、データの前記シリーズ化パターンは、二つ以上のアルファベット文字を含む。前記装置は、ユーザが前記二つ以上のアルファベット文字各々をシリーズ化することを可能にするように構成される。
【００５７】
好ましくは、前記装置は、ユーザが、前記二つ以上のアルファベット文字各々がシリーズ化される態様を指定することを可能にするように構成される。
【００５８】
更なる側面において、方法が提供される。該方法は、印刷されるラベルを作り出すための一つ又は複数の機能をユーザに提供することを含む。前記一つ又は複数の機能は、リコール機能を含む。前記ユーザが前記リコール機能を選択した時、前に作り出されたラベルからデータがリコールされ、これが、新しいラベルに挿入するためにユーザに利用可能となる。前記新しいラベルは、前記前に作り出されたラベルとは異なるタイプである。
【００５９】
好ましくは、前記新しいラベル及び前記前に作り出されたラベル各々は、一般ラベル、ケーブルラップラベル、１１０−ブロックラベル、パッチパネルラベル、水平ブレーカーラベル、アセットトラッキングラベル、熱収縮ラベル、アークフラッシュラベル、フラグラベル、分散パネルラベル、ターミナルブロックラベル、垂直ブレーカーラベル、パイプマーキングラベル、セルフラミネーティングケーブルラップラベル、知る権利ラベルのうちの一つを含む。
【００６０】
好ましくは、前記前に作り出しラベルは、二つ以上の定義した情報領域を含む。
【００６１】
好ましくは、前記新しいラベルは、二つ以上の定義した情報領域を含む。
【００６２】
好ましくは、前記方法は、前記新しいラベルの前記二つ以上の定義した情報領域へと前記リコールされたデータを挿入することを含む。
【００６３】
好ましくは、前記新しいラベルへと前記リコールされたデータを挿入する前に、前記方法は、前記新しいラベルにおけるデータのレイアウトに関するオプションをユーザに提供することを含む。
【００６４】
好ましくは、前記方法は、ラベルプレビュー領域及びデータ入力領域を含むユーザインターフェースを提供することを含む。
【００６５】
好ましくは、前記データ入力領域は、二つ以上のセルを含む表を含む。
【００６６】
好ましくは、前記方法は、前記表に前記リコールされたデータを表示することを含む。
【００６７】
好ましくは、前記データをリコールする前に、前記方法は、前記リコールされたデータが前記新しいラベルと適合性があるか否かを決定することを含む。
【００６８】
更なる側面において、コンピュータプログラムが提供される。該コンピュータプログラムは、コンピュータで実行された時に、上記した方法を実行するように適合されたコンピュータプログラムコード手段を備える。
【００６９】
更なる側面において、コントローラを備える装置が提供される。該コントローラは、印刷されるラベルを作り出すための一つ又は複数の機能をユーザに表示するために、ディスプレイドライバがディスプレイを駆動するためのデータをディスプレイドライバに出力するように構成される。前記一つ又は複数の機能はリコール機能を含む。前記コントローラは、前記ユーザによる前記リコール機能の選択に応答して、前に作り出したラベルからデータをリコールし、そのリコールされたデータを、新しいラベルへの挿入のためにユーザに利用可能にするように構成される。前記新しいラベルは、前記前に作り出したラベルとは異なるタイプである。
【００７０】
好ましくは、前記新しいラベル及び前記前に作り出したラベルそれぞれは、一般ラベル、ケーブルラップラベル、１１０−ブロックラベル、パッチパネルラベル、水平ブレーカーラベル、アセットトラッキングラベル、熱収縮ラベル、アークフラッシュラベル、フラグラベル、分散パネルラベル、ターミナルブロックラベル、垂直ブレーカーラベル、パイプマーキングラベル、セルフラミネーティングケーブルラップラベル、知る権利ラベルのうちの一つを含む。
【００７１】
好ましくは、前記前に作り出したラベルは、二つ以上の定義された情報領域を含む。
【００７２】
好ましくは、前記新しいラベルは、二つ以上の定義された情報領域を含む。
【００７３】
好ましくは、前記コントローラは、前記リコールされたデータを前記新しいラベルの前記二つ以上の定義された情報領域に挿入するように構成される。
【００７４】
好ましくは、前記リコールされたデータを前記新しいラベルに挿入する前に、前記コントローラは、ユーザに、新しいラベルにおけるデータのレイアウトに関するオプションを提供するように構成される。
【００７５】
好ましくは、前記コントローラは、ラベルプレビュー領域及びデータ入力領域を含むユーザインターフェースを表示するためにディスプレイドライバがディスプレを駆動するようにする。
【００７６】
好ましくは、前記データ入力領域は、二つ以上のセルを含む表を含む。
【００７７】
好ましくは、前記コントローラは、ディスプレイドライバに、前記表に前記リコールされたデータを表示させる。
【００７８】
好ましくは、前記データをリコールする前に、前記コントローラは、前記リコールされたデータが前記新しいラベルと適合性があるか否かを決定するように構成される。
【００７９】
更なる側面において、方法が提供される。該方法は、印刷される少なくとも一つのラベルの画像を表示するためのラベルプレビュー領域を、ユーザインターフェースの第１領域に提供すること；及び、入力ラベルデータのための二つ以上のセルを含むデータ入力領域をユーザインターフェースの第２領域に提供すること；を含む。データ入力領域の各セルは、印刷される少なくとも一つのラベルの画像又は印刷される少なくとも一つのラベルの画像の少なくとも一つの領域に対応する。前記セル、又は、前記、印刷される少なくとも一つのラベルの画像又は印刷される少なくとも一つのラベルの画像の少なくとも一つの領域の一方がユーザにより指定された時、指定されたセル又は指定された、印刷される少なくとも一つのラベルの画像又は印刷される少なくとも一つのラベルの画像の少なくとも一つの領域は、強調表示される。対応するセル又は対応する、印刷される少なくとも一つのラベルの画像又は印刷される少なくとも一つのラベルの画像の少なくとも一つの領域も強調表示される。
【００８０】
更なる側面において、コンピュータプログラムが提供される。該コンピュータプログラムは、コンピュータで実行される際、上述した方法を実行するように適合されたコンピュータプログラムコード手段を備える。
【００８１】
更なる側面において、コントローラを備える装置が提供される。該コントローラは、印刷される少なくとも一つのラベルを表示するためのラベルプレビュー領域を、ユーザインターフェースの第１領域に表示するためにディスプレイドライバがディスプレイを駆動するためのデータをディスプレイドライバに出力し、かつ、入力ラベルデータのための二つ以上のセルを含むデータ入力領域をユーザインターフェースの第２領域に表示するように構成される。前記コントローラは、データ入力領域の各セルを、印刷される少なくとも一つのラベルの画像又は印刷される少なくとも一つのラベルの画像の少なくとも一つの領域に対応させるように構成される。前記セル、又は、前記、印刷される少なくとも一つのラベルの画像又は印刷される少なくとも一つのラベルの画像の少なくとも一つの領域がユーザにより指定された時、前記コントローラは、指定されたセル又は指定された、印刷される少なくとも一つのラベルの画像又は印刷される少なくとも一つのラベルの画像の少なくとも一つの領域が強調表示されるように構成される。前記コントローラは、対応するセル又は対応する、印刷される少なくとも一つのラベルの画像又は印刷される少なくとも一つのラベルの画像の少なくとも一つの領域も強調表示されるように構成される。
【００８２】
更なる側面において、方法が提供される。該方法は、情報入力領域を提供することを含む。該情報入力領域は、印刷される少なくとも一つのラベルのためのデータを定義するための情報をユーザが入力することを可能にする。該方法は、シリーズ化オプションの選択に応答して、シリーズ化オプション情報を表示することを含む。シリーズ化オプション情報は、シリーズ化のためのデータ、カウント値、及びインクリメント値のうちの一つ又は複数を含む。該方法は、シリーズ化のための前記データにシリーズ化を適用すること、及び、前記シリーズ化データを表示することを含む。
【００８３】
前記方法は、シリーズ化される複数の異なるデータのための前記シリーズ化オプション情報を並べて表示することを含み得る。
【００８４】
該方法は、連続的にシリーズ化されたデータ各々のための前記複数の異なるデータをシリーズ化することを含み得る。
【００８５】
前記方法は、前記複数のデータの一つをそのそれぞれのカウントの端へとシリーズ化するステップと、前記複数のデータの別の一つを、一つのカウントだけシリーズ化するステップと、前記複数のデータの前記一つのそのそれぞれのカウントの端へのシリーズ化を繰り返すステップを含む。これらのステップは、前記データが連続的にシリーズ化されるまで繰り返される。
【００８６】
更なる側面において、コントローラを備える装置が提供される。該コントローラは、情報入力領域を表示するようにディスプレイドライバがディスプレイを駆動するためのデータをディスプレイドライバに出力するように構成される。前記情報入力領域は、ユーザが、印刷される少なくとも一つのラベルのためのデータを定義するための情報を入力し、かつ、シリーズ化オプションの選択に応答して、シリーズ化のためのデータ、カウント値及びインクリメント値のうちの一つ又は複数を含むシリーズ化オプション情報を表示することを可能にする。前記コントローラは、前記シリーズ化がシリーズ化のための前記データに適用され、かつ前記シリーズ化データを表示するために前記ディスプレイを駆動するための前記ディスプレイドライバデータに出力するように構成される。
【００８７】
コントローラは、シリーズ化される複数の異なるデータのための前記シリーズ化オプション情報を並べて表示するためにディスプレイドライバがディスプレイを駆動するように構成され得る。
【００８８】
コントローラは、各連続シリーズ化データのための前記複数の異なるデータ各々をシリーズ化するように構成され得る。
【００８９】
コントローラは、前記複数のデータの一つをそのそれぞれのカウントの端へとシリーズ化し、前記複数のデータの別の一つを一つのカウント分、シリーズ化し、かつ、前記複数のデータの前記一つの、そのそれぞれのカウントの端へのシリーズ化を繰り返すように構成され得る。これらのステップは、前記データが連続的にシリーズ化されるまで繰り返される。
【００９０】
図面を参照しつつ例示目的の実施形態が以下に記述される。
【図面の簡単な説明】
【００９１】
【図１】図１は、ラベル印刷システムの一タイプのある部分を示す平面図である。
【図２】図２は、ラベル印刷システムの別のタイプのある部分を示す平面図である。
【図３】図３は、ラベル印刷システムのある部分の概略図である。
【図４】図４は、ある実施形態に従うユーザインターフェースを示す。
【図５】図５は、ある実施形態に従うユーザインターフェースを示す。
【図６】図６は、図５のユーザインターフェースの進展を示す。
【図７】図７は、図６のユーザインターフェースの進展を示す。
【図８】図８は、図７のユーザインターフェースの進展を示す。
【図９】図９は、ある実施形態に従うユーザインターフェースを示す。
【図１０】図１０は、ファイルのインポートに関連するユーザインターフェースを示す。
【図１１】図１１は、シリーズ化手順に関連する実施形態に従うユーザインターフェースを示す。
【図１２】図１２は、図１１のユーザインターフェースの進展を示す。
【図１３】図１３は、図１２のユーザインターフェースの進展を示す。
【図１４】図１４は、リコールデータの機能に関連する実施形態に従うユーザインターフェースを示す。
【図１５】図１５は、リコールデータの機能に関連する実施形態に従うユーザインターフェースを示す。
【図１６】図１６は、リコールデータの機能に関連する実施形態に従うユーザインターフェースを示す。
【図１７】図１７は、リコールデータの機能に関連する実施形態に従うユーザインターフェースを示す。
【図１８】図１８は、リコールデータの機能に関連する実施形態に従うユーザインターフェースを示す。
【図１９ａ】図１９ａは、別のシリーズ化手順に関連する実施形態に従う別のユーザインターフェースを示す。
【図１９ｂ】図１９ｂは、別のシリーズ化手順に関連する実施形態に従う別のユーザインターフェースを示す。
【図１９ｃ】図１９ｃは、別のシリーズ化手順に関連する実施形態に従う別のユーザインターフェースを示す。
【発明を実施するための形態】
【００９２】
図１は第１ラベルプリンタの平面図を示し、第１ラベルプリンタは、該プリンタに配列された二つのカセットを有する。一般に、このラベルプリンタ１は、時間の少なくとも一部においてバッテリーにより電力が供給される。代替的に又は付加的に、ラベルプリンタは、コンセントから電力が供給され得る。
【００９３】
上方カセットは、第１カセット受け取り部２６に位置付けられ、画像受け取りテープ４の供給部を含む。画像受け取りテープ４は、ラベルプリンタ１の印刷域３を通ってラベルプリンタ１の出口５へと進む。画像受け取りテープ４は、その上面に印刷された画像を受け取るための上層を備え、また、粘着層によりコーティングされた他の面を有し、粘着層に剥離可能な裏当て層が固定される。代替的に又は付加的に他のタイプの画像受け取りテープが使用され得ることが認識されるべきである。例えば、画像受け取りテープには、複数のダイカットラベルが与えられ得る。
【００９４】
上方カセット２は、ラベルプリンタ１のプラテン８を収容するための凹部と、印刷域３を通じてテープを案内するためのガイド部２２及び２４とを有する。プラテン８は、ケージモールディング１０内に回転のために取り付けられる。あるいは、プラテンは、ピンに回転のために取り付けられ得る。
【００９５】
下方カセット１１は、第２カセット受け取り部２８に配置され、熱転写リボン１２を含む。熱転写リボン１２は、カセット１１内において供給スプール３０から巻き取りスプール３２へと延びる。熱転写リボン１２は、画像受け取りテープ４とオーバーラップして印刷域３を通って延びる。カセット１１は、ラベルプリンタ１の印刷ヘッド１８を受け取るための凹部１４と、熱転写リボン１２を印刷域３を通るように案内するためのガイド部３４及び３６とを有する。印刷ヘッド１８は、印刷ヘッド１８がプラテン８と接触し、かつ印刷ヘッド１８とプラテン８との間で熱転写リボン１２と画像受け取りテープ４とを重ねて保持する図１に示す動作位置と、印刷ヘッド１８がプラテン８から離れ、熱転写リボン１２及び画像受け取りテープ４を解放する非動作位置との間を移動可能である。動作位置において、プラテン８は回転して、画像受け取りテープ１２を印刷ヘッド１８を過ぎるよう駆動し、また、印刷ヘッド１８は、リボン１２からのインクの熱転写により画像受け取りテープ４上に画像を印刷するように制御される。印刷ヘッド１８における印刷要素各々は、別々に作動可能であり得、また、印刷される望ましい画像に従って作動される。ラベルプリンタ１は、蓋（図示せず）を有し、該蓋は、カセット受け取り部２６及び２８の後部に沿ってヒンジ付けられ、また、所定の位置で両カセットをカバーする。
【００９６】
ＤＣモータ７(図３参照)はプラテン８を連続的に駆動する。プラテンは、それ自身の回転の作動により、画像受け取りテープ４を印刷域３を通じて駆動するように構成される。他の実施形態において、印刷ヘッドを横切る画像受け取りテープの移送は、例えば、プリンタ又はカセットの別個の駆動ローラ、又はテープの両側に配置される一対の協同ローラ、又は他の手段等の他の手段により行うことができる。
【００９７】
画像は、列（コラム）ベースにより列における画像受け取りテープ上に印刷ヘッド１８によって印刷される。列は、テープ４の移動方向において互いに近接する。
【００９８】
図２は、一つのカセットシステムを使用する第２ラベルプリンタ１’のカセットベイを平面図で例示する。同じ参照番号が、図１にも示されるそれらの部分に用いられる。カセットベイは、破線４０により示される。カセットベイ４０は、熱印刷ヘッド１８及びプラテン８を含み、これらは協同して印刷域３を規定する。
【００９９】
印刷ヘッド１８は枢軸点の周りに枢動可能であり、これにより、印刷ヘッド１８は、印刷のためにプラテン８と接触状態となることができ、また、第１実施形態におけるようにカセットが取り外され交換され得るようにプラテン８から離れることができる。あるいは、プラテンは、印刷のために印刷ヘッドと接触状態にされ得、かつカセットが挿入可能となるように印刷ヘッドから離され得るように枢動可能である。カセットベイ４０内に挿入されたカセットは参照番号４４で全体的に示される。カセット４４は、画像受け取りテープ４の供給スプール４６を保持する。画像受け取りテープ４は、ガイド機構（図示せず）により、カセット４４を通り、印刷域３を過ぎ、カセット４４から出口Ｏを通って切断位置Ｃへと案内される。同じカセット４４はまた、インクリボン供給スプール４８とインクリボン巻き取りスプール５０を有する。インクリボン１２は、インクリボン供給スプール４８から印刷域３に案内され、インクリボン巻き取りスプール５０に巻き取られる。第１実施形態と同様に、画像受け取りテープ４は、インクリボン１２と重なって印刷域３を通り、その画像受け取り層がインクリボン１２と接触する。この第２実施形態のプラテンはまた、モータ７により駆動される。モータは回転し、印刷中、画像受け取りテープを、印刷域３を通るように連続的に駆動する。実施形態のいずれかにおいて、テープがステップモータにより段階的態様で駆動されることが可能である。
【０１００】
画像は、テープに印刷され、テープが印刷域から切断位置Ｃへと搬送される。切断位置Ｃは、印刷域３に近い、カセット４４の壁の一部の位置に設けられる。切断位置Ｃが規定されるカセット４４の壁の前記一部は参照番号５２で示される。壁部分５２にスロット５４が規定され、画像受け取りテープ４は、印刷域３を過ぎ、カセット４４から出口Ｏを通って切断位置Ｃへと搬送される。切断位置Ｃにおいてテープ４は、スロット５４のいずれかの側の対面壁部分によって支持される。
【０１０１】
第２ラベル印刷装置１’は切断機構５６を含む。切断機構５６は、ブレード６０を保持するカッター支持部材５８を含む。ブレード６０は、画像受け取りテープ４を切断し、次いでスロット５４に入る。第１実施形態も、通常、切断機構を含むことが認識されるべきである。
【０１０２】
これらの例のラベルプリンタ１及び１’は、スタンドアローン印刷装置として作動し得る。スタンドアローン印刷装置は、ユーザから入力を受信しかつ該印刷装置のディスプレイに表示されるものを変更するためのコントローラを含む。更に、ラベルプリンタ１及び１’は、代替的に又は付加的に、ＰＣに接続可能であるか又は接続される。この場合、該ＰＣも、ユーザから入力を受信し該プリンタの又は該ＰＣのディスプレイに表示されるものを変えるコントローラを含む。
【０１０３】
図１のラベルプリンタ１又は図２のラベルプリンタ１’を制御するための基本回路構成が図３に示される。コントローラ又は「制御手段」(マイクロコントローラユニット（ＭＣＵ）又はプロセッサ等）６００と、例えば読み出し専用メモリ（ＲＯＭ）又はフラッシュ型のメモリである不揮発性メモリ６０２が存在する。フラッシュ型のメモリは、読み出し専用メモリに代えて又はそれに加えて使用され得る。ランダムアクセスメモリＲＡＭ６０４及び／又はディスプレイＲＡＭを含む揮発性メモリも設けられる。ＭＣＵ６００は、タッチパネルコントローラ６０６を介してタッチスクリーン６１２のタッチパネル６０８等のデータ入力装置からＭＣＵ６００に入力されたラベルデータを受信するために接続される。代替実施形態において、データ入力装置は、複数のキー、マウス、デジタルペン又はトラックボール、又は、ユーザがコントローラ６００にコマンドを送信することを可能にするための任意の他の手段を含む一つ又は複数のハードウェアキーボードを備え得る。ある実施形態において、タッチスクリーン６１２は省かれる。ＭＣＵ６００は、ディスプレイ６１０（該ディスクプレイはタッチパネル６０８と共にタッチスクリーン６１２を形成する）を駆動して、印刷されるラベル（又はその一部）及び／又はユーザに対するメッセージを表示させるためにデータを出力する。付加的に、ＭＣＵ６００はまた、ラベルデータがラベルを形成する画像受け取りテープ上に印刷されるように、データを出力して印刷ヘッド１８を駆動する。最後に、ＭＣＵ６００はまた、プラテンを駆動するためにモータ７を制御する。ＭＣＵ６００はまた、ある長さのテープが切断されることを可能にするため、図２の切断機構５６又は図１に示す装置の切断機構を制御する。代替実施形態において、切断機構の少なくとも一部は手動により操作され得る。
【０１０４】
ラベルプリンタ１又は１’がＰＣ等の外部装置に接続される場合、印刷されるラベルを作り出す動作をＰＣに実行可能とするため、少なくとも一つのメモリ及び少なくとも一つのプロセッサ等、同様の構成要素を該ＰＣも含むことも理解されるべきである。そのようなＰＣはまた、モニター等のディスプレイ手段に接続される。ラベルプリンタは、タブレット又は携帯電話等の任意の他の適切な装置に接続され得ることが認識されるべきである。
【０１０５】
以下、ラベルは、ラベル印刷装置自体又はラベルプリンタに接続されたＰＣ等の外部装置のいずれか又は両方において作り出され得ることが理解されるべきである。従って、以下、「メモリ」、「プロセッサ」及び「ディスプレイ」等の用語は、ラベル印刷装置及びＰＣのいずれか又は両方におけるそれら構成要素のことを意味し得ることが理解される。
【０１０６】
ラベルプリンタは、例示目的のみのために示されることが認識されるべきである。他の実施形態において、インクリボンは省かれ得る。いくつかの実施形態において、プリンタは、例えば、熱印刷に対し異なる印刷技術、例えばインクジェット印刷等を使用し得る。ある実施形態において、印刷ヘッドは固定されてもよく、他の実施形態において、プラテン及び印刷ヘッドは両方移動可能であり得る。
【０１０７】
ユーザ入力装置は、任意の適切なデバイスにより提供され得る。入力装置は、キーボード及び／又はタッチスクリーンによって提供され得る。
【０１０８】
図４は、ある実施形態に従うユーザインターフェース４００を一般的に示す。ユーザインターフェース４００はＰＣのモニター、ラベル印刷装置のディスプレイ、又はラベルプリンタが接続されるデバイスに提示され得る。ユーザは、既知の手段によりユーザインターフェース４００の周りを移動することができる。例えば、ユーザは、マウス又はトラックボールを操作し得、また、アイコン上にマウスポインタを配置し、かつそのアイコンを選択するために該アイコン上でクリックすることにより、ユーザインターフェース４００におけるオプションを選択することができる。しかしながら、例えばタッチスクリーンが使用される他の実施形態において、ユーザは、アイコンを選択しまた情報を入力するためにスクリーン又はディスプレイに直接タッチし得ることも認識されるべきである。ユーザはまた、ユーザインターフェースの周りを移動するためにＰＣに取り付けられるか又はラベルプリンタに直接取り付けられるハードウェアキーボード等を使用し得る。
【０１０９】
図４の実施形態において、ユーザは、ホームアイコン４０２をクリックしたら、ユーザには、今度、ホームスクリーン４０１が提供される。これは、ユーザに多くのラベルタイプを提供する。ラベルタイプは、それらのそれぞれのアイコンをクリックすることによって選択され得る。これらのラベルタイプは、一般ラベル４０４、ケーブルラップラベル４０６、１１０−ブロックラベル４０８、パッチパネルラベル４１０、水平ブレーカーラベル４１２、アセットトラッキングラベル４１４、熱収縮ラベル４１６、アークフラッシュラベル４１８、クリックラベル４２０、フラグラベル４２２、分散パネルラベル４２４、ターミナルブロックラベル４２６、垂直ブレーカーラベル４２８、パイプマーキングラベル４３０、セルフラミネーティングケーブルラップラベル４３２、及び知る権利ラベル４３４を含む。更なるラベルタイプが、ホームスクリーン４０１に代替的に又は付加的に表示され得ることが認識されるべきである。他のラベルタイプの例は、安全ラベル及び材料管理ラベルを含み得る。
【０１１０】
ディスプレイは一つ又は複数のラベルタイプを表示し得ることが理解されるべきである。それらのラベルタイプは、前述したラベルタイプの一つ又は複数、及び／又は一つ又は複数の他のラベルタイプを含み得る。
【０１１１】
熱収縮ラベル４１６、アークフラッシュラベル４１８、セルフラミネーティングケーブルラップラベル４３２、知る権利ラベル４３４それぞれは、それらのアイコン近傍の感嘆符と共に表示される。これは、ユーザに、与えれたコンテキストにおいてそれらのラベルタイプが利用できないことを知らせる。例えば、それらのラベルタイプを、選択されたタイプのラベル材料上に印刷することは可能ではないかもしれない。該選択されたタイプのラベル材料は、ユーザインターフェース４００の部分４３６に示される。
【０１１２】
ラベルタイプは、ある選択されたラベル材料及び／又は特性及び／又はサイズに対し利用可能なラベルタイプが共に表示されるように表示され得ることが認識されるべきである。ラベルタイプは、ある選択されたラベル材料及び／又は特性及び／又はサイズに対し利用不能なラベルタイプが共に表示されるように表示され得ることが理解されるべきである。図４に示す例において、利用可能なラベルタイプは、見られるはずの第１領域と考えらえるディスプレイの領域、又は、最も関連があるかもしくは重要な情報を含むと考えられる領域に表示され得る。あるリストの場合、これは該リストの上部にあり得る。左右アルファベットが使用される場合、利用可能なオプションはスクリーンの左側に表示され得る。
【０１１３】
ラベルオプションタイプは、ユーザが「新ラベル」アイコン４３８をクリックした際にユーザに提示される。図４の実施形態において、「新ラベル」スクリーンはまた、ホームスクリーンを兼ねる。
【０１１４】
他のオプションも、ユーザインターフェース４００を介してユーザに利用可能である。これらは、「開ラベル」アイコン４３９を含む。このアイコンをクリックすることにより、ユーザは事前に保存したラベルを開くことができる。「ファイル管理」アイコン４４０をクリックすることにより、ユーザは、例えばファイルの名称変更及びファイルのラベルプリンタへの及びそこからの移動等、ユーザがそれらの保存されたファイルを管理することができる更なるインターフェースに入る。ユーザはまた、ユーザインターフェースの設定を変更するためにアイコン４４２を介して設定メニューにアクセスすることができる。例えば、ユーザは、言語設定、及び帝国単位又はメートル法を使うか否かを変更することができる。
【０１１５】
アイコン４４４をクリックすることにより、ユーザには、ラベルプリンタのドロップダウンリストが提示される。選択されたラベルプリンタのタイプは、例えば、ユーザに利用可能であるラベルのタイプ、及び／又は利用可能なフォーマットオプションを決定する。アイコン４４６は「クイック印刷」アイコンであり、これは、アイコン４４６をクリックすることにより、ユーザが現在表示されているラベルを迅速に印刷することを可能にする。
【０１１６】
ユーザが既にラベルを準備する工程にあり、かつ何らかの理由でラベル編集スクリーンを出た場合、ユーザは、「継続編集」アイコン４４８をクリックすることにより、そのラベルの編集に迅速に戻ることができる。
【０１１７】
一例において、パッチパネルアイコン４１０の選択に続いて、ユーザインターフェース４００は、ユーザに図５に示すスクリーンを提示する。このスクリーンにおいて、ユーザインターフェース４００は、フォーマット領域５０２と、ラベル編集領域５０４と、データ入力領域５０６とを広範に含む。
【０１１８】
フォーマット領域５０２において、ユーザは、選択されたラベルタイプに関連する特性をフォーマット化することができる。この実施形態において、ユーザはパッチパネルラベルを選択し、そのため、ユーザに利用可能なオプションはパッチパネルラベルに関連する。例えば、ユーザがマウスポインタを「ポート数」アイコン５０８上に動かす場合、ドロップダウンメニューが提示され、ユーザはパッチパネルのポート数を変更することが可能となる。「センター対センター間隔」アイコン５１０を選択することにより、ユーザは、パッチパネルのポート間のセンター対センター間隔を変更することができる。アイコン５１２は、ユーザがグループごとのポートの数を選択することを可能にする。アイコン５１４は、ユーザが、ポートグループ間のクリアランスを選択することを可能する。アイコン５１６は、ユーザが、ポートの全グループをカバーする連続的ラベルを望むか、又は各ポートグループに対して別々のラベルを望むかを決定することを可能にする。「レイアウト」アイコン５１８は、ユーザが、どのようにそれらのラベルがレイアウトされることを望むかを選択することを可能にする。これは、例えば、ユーザが各ラベルポート間に分離線を欲する、又は、分離線なしのラベルを有することを望むか等、である。
【０１１９】
上述したように、利用可能なオプションは、選択したラベルのタイプにより変わり得る。
【０１２０】
アイコン５２０及び５２２は、ユーザが前のアクションをそれぞれアンドゥ又はリドゥすることを可能にする。アイコン５２４は、ユーザが現在のラベルを保存することを可能する。アイコン５４６は、ユーザが現在のラベルを印刷することを可能にする。
【０１２１】
ラベル編集領域５０４は、印刷される一つ又は複数のラベル５２６のプレビューを示す。パッチパネル５２８のプレビューの近傍にラベルプレビュー５２６が示される。表示されたラベルプレビュー５２６及びパッチパネルプレビュー５２８は、フォーマット領域５０２において選択されたオプションに対応する。各パッチパネルグループの全長が寸法矢印５３０の近傍に示される。パッチパネルグループ間の間隔は寸法矢印５３２の近傍に示される。
【０１２２】
データ入力領域５０６は、次により詳細に記述される。一般的に言って、データ入力領域５０６に入力された情報は、ラベル編集領域５０４で編集しているラベルへとマッピングされ移動させられ得る。レ点ボックスオプション５３４は、ユーザが、データ入力領域５０６からの情報をラベル編集領域５０４におけるラベル５２６に自動的にマッピングするか否かを決定することを可能にする。この例において、ユーザは、「自動マッピング列」ボックス５３４にレ点を付けている。他の実施形態において、ユーザが、ドロップダウンメニュー又は任意の他の種類のメニュー等の情報を自動的にマッピングするか否かを選択することを可能する他の手段も使用され得る。別の実施形態において、オプションが全く与えられず、データは自動的にマッピングされる。
【０１２３】
データ入力領域５０６は、５３６とラベル付けされた表又はデータグリッドを含む。該表は、行５３８と列５４０から成る。この例において、各列のヘッダーは、パッチパネル５２８におけるポートに関連するポート番号である。各行５３８は、一つより多いラベルに関連する情報が任意の一回でデータ入力領域に表示可能なように、ラベル数に対応する。これは、以下に更に詳述される。
【０１２４】
この例において、１２ポートを持つパッチパネルが選択されている。ポートのこの数に関連する情報をデータ入力領域５０６に同時に表示することは可能ではない。従って、スクロールバー５４２が与えられ、これは、ユーザがデータ入力領域５０６周りを移動してすべての情報を見ることを可能する。
【０１２５】
ユーザは、データ入力領域５０６にデータを入力することができる。この例において、ユーザは、単語「一」を表５３６のセル５４４にタイプしている。表ヘッダーが示すように、このセルはパッチパネルのポート１に関連する。従って、単語「一」は、ラベル５２６の領域５４８に示され、これはパッチパネル５２８のポート１の近傍にある。自動マッピング機能がボックス５３４で選択されているので、この単語は、データ入力領域５０６にタイプされた時、ラベル５２６に自動的にマッピングされる。
【０１２６】
この例において、ユーザは、セル５４４へのタイプを始めるため、「ポート１」ヘッダーをクリックした。ヘッダー「ポート１」を選択するこのアクションは、ラベル５２６の対応する領域５４８を該ラベルの隣接部分に比べて暗くする。実施形態において、これは、データがセル５４４に入力される前でさえ起こり得る。これは、ラベルのどの部分をユーザが作業中であるかをユーザが容易に把握することを可能にする。
【０１２７】
セル及び／又はヘッダーが選択され又は指定された場合はいつでも、対応するラベル領域は強調表示されることが認識されるべきである。ある実施形態において、ラベル領域が選択又は指定された場合はいつでも、対応するセル及び／又はヘッダーが強調表示される。ある実施形態において、セルが選択又は指定された場合、対応するヘッダーが強調表示され得、及び／又は、その逆であり得る。強調表示は、異なる色、陰影、閃光背景等の使用等、任意の形態をとることができる。
【０１２８】
ある実施形態において、ヘッダー及び／又はラベル領域は、ユーザによってクリック又は選択された時、強調表示される。ヘッダー及び／又はラベル領域はまた、マウスポインタ又は他の選択手段がその上に置かれると、強調表示され得る。
【０１２９】
ユーザは、データ入力領域５０６から行及び列を追加及び削除することができる。この工程はどのような方法でも実行され得る。この例において、新しい行は、「＋」アイコン５５０をクリックすることにより付加可能である。一旦、この新規行が付加されたら、対応する「ｘ」アイコンをクリックすることにより、それは除去もされ得る。該「ｘ」アイコンはその行数上にマウスポインタが置かれると現れる。新しい列は、「＋」アイコン５５２をクリックすることにより付加され得る。列は、クロス（「ｘ」）を表示するその列のヘッダー上にマウスポインタを置くことにより、削除され得る。クロス（「ｘ」）は、クリックされると、その列を削除させる。例えば、図５において、ユーザはマウスポインタを「ポート１」上に置いており、これがクロスアイコン５５４が出現させる。もしクロス５５４がクリックされると、「ポート１」列は削除される。
【０１３０】
ユーザインターフェース４００はまた、詳しく後述されるいくつかの更なる機能を備える。例えば、アイコン５５６をクリックすることにより、ユーザは、外部源からデータをインポートすることができる。アイコン５５８をクリックすることにより、ユーザは、データを外部源へとエクスポートすることができる。アイコン５６０をクリックすることにより、ユーザは、前に保存したデータをリコールすることができる。アイコン５６２をクリックすることにより、ユーザは、入力されるデータのシリーズ化パターンを定義することができる。
【０１３１】
図６は、図５からのデータ入力の進行を示す。この例において、ユーザは、更なるデータを入力し続けている。ユーザがデータ入力領域５０６におけるヘッダー「ポート２」をクリック又は選択し、ラベル５２６の領域５６４が強調表示され、ラベルのこの領域が作業中（すなわち第２ポート）であることを示す。同様に、表記「ポート２」及び／又は対応するセルを囲むデータ入力領域５０６におけるヘッダー領域が強調表示され、これが選択されたポートであることを示す。表５３６のセルにマッピングされるラベル５２６の画像の領域は、そのため、それに対応して強調表示される。
【０１３２】
ある実施形態において、表５３６における領域は、ラベル編集領域５０４及びラベル画像５２６におけるいくつかのラベルフィールドとマッピングされ得る。そのような場合、ユーザが表５３６におけるセル上にマウスポインタを置くか又は該セルを選択することにより、ラベル編集領域におけるラベル５２６の一つよりも多い領域が、選択されたか又はマウスポインタが置かれたセルの強調表示と共に強調表示される。ラベルのセル又は領域の選択又はその上へのマウスポインタの配置は、一般に、ラベルのセル又は領域の「指定」と呼ばれ得る。
【０１３３】
次いで、ユーザは、単語「二」をセル５６６に入力し、これは、ラベル５２６の領域５６４に単語「二」の対応入力をもたらす。
【０１３４】
図７は、図６に示すラベル生成工程の進行である。図７において、ユーザは二つの更なるラベルのためにデータを入力している。そのため、それぞれＬ１〜Ｌ４とラベル付けられた四つのラベルが存在する。ラベルＬ１は、ポート１及びポート２それぞれに単語「一」、「二」を含む。ラベルＬ２は、ポート１〜３それぞれに単語「一」、「二」及び「三」を含む。ラベルＬ３は、ポート４のための単語「四」を更に含む。ラベルＬ４は、ポート５に対する単語「五」を更に含む。これら更なるラベルは、プラスアイコン５３８をクリックすることによって付加された。
【０１３５】
図７の例において、ユーザは行Ｌ３をクリックした。従って、この行は、例えば、行Ｌ３におけるセルの境界の強調表示により、表５３６において強調表示される。強調表示は、任意の他の適切な形態をとり得る。また、この行が強調表示されたので、この行に関連する情報がラベルプレビュー５２６に示される。ユーザが行Ｌ４を選択すると、その行に関連するデータがラベルプレビュー５２６等に提示されるであろう。左側空欄である表の各セルでは、ラベルプレビュー５２６の対応するポートも左側空欄である。
【０１３６】
各行は単一ラベルのためのデータに関連し得ることが認識される。各セルは、ラベル上のそのデータの位置を決定し得る。あるいは、同じ行の異なるセルにおけるデータは、ラベルのグループ内における異なるラベルに関連し得る。これは、例えば複数のラベルを含むパッチパネルラベルに対するケースであり得る。どのセルがグループのどのラベルに属するかが、パッチパネルの特性を設定する際、ユーザにより決定され得る。
【０１３７】
各列のセルが別々のラベルにおけるデータの位置に関連し得ることも理解される。他の実施形態において、各列は、単一のラベルのためのデータに関連し得る。例えば、同じ列の異なるセルは、ある多重線ラベルの異なる線に関連し得る。
【０１３８】
前述したように、ユーザはまた、情報を表５３６からラベルプレビュー領域５０４へとドラッグ及びドロップすることにより、該情報を該二つの領域間に移動させることができる。これは、自動マッピング列ボックス５３４にレ点がない場合に行われ得る。そして、ユーザは、ユーザが移動させたいと思う表５３６におけるデータに対するヘッダー（例えば「ポート１」、「ポート２」等)を選択し、次いで、そのヘッダーに関連する該データをラベル５２６の関連する部分へとドラッグすることができる。            
【０１３９】
例えば、図７に関して、ユーザは、ヘッダー「ポート４」を選択することができる。図７の例において行３が選択され（かつその境界が強調表示され）ていることを思い出すと、行３、ポート４に関連するデータは単語「四」である。そのため、ヘッダー「ポート４」を選択することにより、ユーザは、単語「四」をラベルプレビュー上の任意のポートへとドラッグ及びドロップする。ドラッグ及びドロップは、情報が該二つの領域間をどのように移動可能であるかの一例である。あるいは、ユーザが表５３６のヘッダーを一回クリックし、次いでユーザがラベルプレビュー５２６のある部分をクリックした時、その情報がクリックされたラベルプレビュー５２６の前記部分に移される。
【０１４０】
図８に示されるように、ユーザは、ラベル編集領域５０４のラベルプレビュー５２６へとデータを直接入力することができる。図８において、ユーザは、第３ポート近傍のラベルプレビュー５２６をクリックしている。これが、第３ポート並びにフォーマットオプションボックス５７０の近傍でテキストボックス５６８を開ける。ユーザは、次いで、テキスト又は文字をテキストボックス５６８に入力することができる。
【０１４１】
上述したように、表５３６を含むデータ入力領域５０６の概念は、上記のパッチパネルの例だけではなく、どのようなタイプのラベルにも適用することができる。図９において、ユーザは１１０ボックスタイプラベルを選択している。これはラベルプレビュー５７２に示される。ユーザは、ラベル一つすなわち行Ｌ１を選択又は指定しており、従って、その境界が強調表示される。この行は、列１の単語「一」と、列２の単語「二」とから成る。これらの単語は、ラベルプレビュー５７２の領域５７４及び５７６にマッピングされている。もし他のラベルＬ２〜Ｌ４のいずれかが選択されていれば、それらのラベルに関連するデータがラベルプレビュー５７２に示されるであろう。
【０１４２】
ある実施形態において、ラベルプレビュー領域５０４に表示されるデータは、表５３６において編集のみ可能である。これは、全てのラベルタイプに適用可能であり得る。
【０１４３】
上述したように、ユーザは、データを印刷されるラベルに入力するために該データを外部源からインポートし得る。該データは、いかなる態様でもインポートされ得る。図示の例において、ユーザは、図５に関して述べたようにインポートアイコン５５８をクリックすることによりインポート工程を始める。このアイコンが選択された時、ポップアップウィンドウ５７８が現れ、ポップアップウィンドウ５７８は、ユーザがデータ入力領域５０６にインポートしたいと思うかもしれなファイルをユーザが閲覧することを可能にする。この例において、ユーザは、「Dymo data mapping. xlsx」とタイトル付けされた外部スプレッドシートからデータをインポートしようとしている。インポートされるデータのプレビューは、ポップアップ５７８の領域５８０に示される。ユーザにはまた、いくつかのオプションが提供される。例えば、ユーザは、一旦インポートされたら、ファイルにおけるデータの第１行がデータ入力領域５０６における列ヘッダーを構成することになるか否かを決定することができる。これは、ボックス５８２をチェックすることにより行われる。
この例において、ボックス５８２はチェックされていない。しかしながら、もしこのボックスがチェックされると、用語「一」、「二」、「三」、「四」及び「五」が、ヘッダー等における表記「ポート１」、「ポート２」、「ポート３」、「ポート４」、及び「ポート５」をそれぞれ置き換えるであろう。ユーザがこのデータをインポートすることを望むなら、ユーザは、「インポート」ボタン５８４をクリックすることができる。あるいは、ユーザが、このデータをインポートすることを望まないことを決定した場合、ユーザはキャンセルボタン５８６をクリックすることができる。
【０１４４】
ユーザはまた、アイコン５５８をクリックすることにより、データを外部源へと同様の態様でエクスポートすることができる。データはまた、任意の他の態様でエクスポートされ得る。
【０１４５】
前述したように、ユーザは、シリーズ化パターンのデータを入力することができる。ユーザは、シリーズ化アイコン５６２（図５参照）をクリックすることにより、一連のラベルを準備する工程を開始することを選択することができる。シリーズ化アイコン５６２は、図５に示すようなパッチパネルラベルだけでなく、任意のタイプのラベルを編集する際に利用可能であり得ることに留意すべきである。
【０１４６】
例えば、ユーザは、ホームスクリーン４００（図４参照）上のアイコン４０４をクリックすることにより、一般ラベルを準備することを決定したかもしれない。その際、ユーザは、一連の一般ラベルを準備するためにシリーズ化アイコン５６２をクリックし得る。
【０１４７】
図１１は、シリーズ化アイコンの選択に続いてユーザに提示されるオプションスクリーン７００又は「ウィザード」の例を示す。オプションスクリーン７００は、シリーズ化データを作り出すためのステップバイステップ工程を提供する。シリーズ化データは、ユーザが一連のラベルを準備することを容易にする。第１工程は、ユーザが前記シリーズの開始値を入力することである。ユーザは、この値をボックス７０２に入力する。この例において、ユーザは開始値として「Ａ１０１」を入力している。
【０１４８】
次いで、ユーザは、ユーザがシリーズ化することを望む開始値のどの（一つ又は複数の）部分かを選択することができる。この例において、ユーザは、文字「Ａ」をクリックしており、これがユーザがシリーズ化を望む第１値であることを示す。文字「Ａ」は、従って、ボックス７０４により囲まれ、番号「１」７０６のタグに連結され、これがシリーズ化される第１文字であることをユーザに明確に示す。
【０１４９】
この例において、ユーザは、開始値「Ａ１０１」における番号「１」の第１例をクリックしている。これは、いずれかの端にハンドル７０９及び７１０を有するボックス７０８をもたらす。ユーザは、これらのハンドルをクリック及びドラッグして、ユーザがシリーズ化を望むより多くの又はより少ない文字を開始値から選択することができる。この例において、ユーザは、全値「１０１」がシリーズ化される第２値として選択されるようにハンドル７１０をクリック及びドラッグしている。これは、ボックス７０８に付加されたタグ７１２により示され、これがシリーズ化される第２値であることを表す。ユーザが文字「Ａ」を選択した場合、ユーザが、より多くの又はより少ない文字を含むようにボックス７０４のサイズを変えることを可能にするため、ボックス７０４もいずれかの側にハンドルを備えることが理解されるべきである。
【０１５０】
オプションスクリーン７００の下にプレビュースクリーン７１２がある。プレビュースクリーンは、シリーズ化データのプレビューを提供する。
【０１５１】
次の工程は、図１２に示すように、ユーザがシリーズ化の詳細を入力することである。これは、ユーザがインクリメント７１４及びシリーズ７１６におけるセルの数を設定することを可能にする。ユーザは、シリーズ化されるデータの各側面に対しこれを行うことができる。インクリメント７１４及びシリーズのセル数のための値は、ユーザが「インクリメント」又は「シリーズのセル数」変数のいずれかをクリックした時に現れるボックス７１８の上下矢印の使用により調整可能である。図１２に示すように、ユーザは、第１変数（すなわち「Ａ」）に対するインクリメントを１に設定した。ユーザは、第２変数（すなわち「１０１」）のためのインクリメントを１に設定した。このシリーズに対するセル数は５に設定された。ユーザはまた、７２０で示すように「行を最初に埋める」とは対称的に「列のみを埋める」に対するオプションを選択している。
【０１５２】
データのシリーズ化パターンのプレビューが７１２で示される。プレビューは、オプション領域７００に設定されたシリーズ化されたラベルの列を示す。すなわち、シリーズの第１ラベルがＡ１０１であり、第２ラベルＬ２がＢ１０２であり、更に第３ラベルがＣ１０３等である。シリーズのラベルのすべてを表示するには、プレビュー領域のスペースは不十分であり、そのため、スクロールバー７２２が与えられ、これは、ユーザがラベルプレビューのラベルをスクロールして見ることを可能にする。
【０１５３】
図１３に示すように、ユーザに利用可能な別のオプションは、データを連続的にシリーズ化するか否かを選択することである。ユーザは、データを連続的にシリーズ化することを望む場合、ボックス７２４にチェックを入れることができる。このオプションは、シリーズ化されているデータの一つを上回る側面又は文字が存在する場合、特に有益である。このオプションは、ユーザが、どの文字が最初にシリーズ化されるかを設定することを可能にする。そのため、このオプションをクリックすることにより、ユーザは、番号「１０１」がシリーズ化される前に文字「Ａ」をシリーズ化することを望むことを選択している。すなわち、ラベルは、Ａ１０１、Ｂ１０１、Ｃ１０１、Ｄ１０１、Ｅ１０１、Ａ１０２、Ｂ１０２、Ｃ１０２等としてプレビュー領域７１２に示すようにシリーズ化される。
【０１５４】
「連続的シリーズ化」ボックス７２４にチェックが入れられた場合、オプションスクリーン７００の「入力シリーズ化詳細」領域に矢印７２６及び７２８が現れる。これは、ユーザが、問題の文字を文字「１」から文字「２」へと変更することを可能にする。例えば、ユーザが矢印７２８をクリックした場合、番号「１０１」がシリーズ化されるシリーズ化リストの第１文字になり、かつ、プレビュー領域７１２に示されるラベルのシリーズが、Ａ１０１、Ａ１０２、Ａ１０３、Ａ１０４、Ａ１０５、Ｂ１０１、Ｂ１０２等になるであろう。
【０１５５】
ユーザがオプション領域７００への情報の入力を完了して継続を希望する場合、ユーザは、「完了」ボタン７３０を押すことによりそうすることができる。あるいは、ユーザは、「キャンセル」ボタン７３２を押すことにより、シリーズ化手順をキャンセルすることができる。
【０１５６】
図１２から続いて、ユーザが「完了」ボタン７３０を押したら、ユーザインターフェースは、図１４に示すインターフェースに戻る。ユーザインターフェースは今度、ラベルプレビュー領域７１２の上方にラベル編集領域７３４を示す。ラベル編集領域７３４は、ラベル７３６の画像を含む。前述したように、ユーザは、ラベルプレビュー領域７１２からラベル７３６へと情報をドラッグ及びドロップ（又は任意の他の方法で選択）することができる。あるいは、ユーザは、自動マッピング列ボタン７３８をクリックして、シリーズ化データをラベル画像７３６に自動的にマッピングすることができる。
【０１５７】
一つ又は複数の列、一つ又は複数の行、又は一つ又は複数の行及び列を同時に書き込むようにシリーズ化データはプレビュー領域７１２の表に移動可能であることが理解されよう。
【０１５８】
上記方法は、特にユーザフレンドリーである。それは、ユーザが、最小の努力で、印刷されるラベルのために多くのデータを入力することを可能にする。与えられたインターフェースは、特に直観的であり、そのため、ユーザはいかなる訓練も要することなく使用することができる
【０１５９】
シリーズ化オプションスクリーン７００又は「ウィザード」は、シリーズ化工程全体にユーザを案内し、シリーズ化工程が完了する前にユーザにシリーズ化データのプレビューを提供する。これは、比較的少ないクリックでユーザが多量のデータを作り出すことを可能し、また、プレビュー機能はデータ入力エラーを最小にする。
【０１６０】
図１９ａ〜１９ｃが参照され、これらは、データのシリーズ化の代替実施形態を示す。図１９ａにおいて、パッチパネルオプションが示され、これは、図５〜７に関して前述したものと同様である。理解され得るように、フォーマット領域５０２にシリーズ化オプション９００が設けられている。
【０１６１】
図１９ｂはシリーズ化メニュー９０４を示し、これは、ユーザがシリーズ化オプションをクリック又は他の方法で選択した場合に表示される。これは、少なくとも部分的にラベル編集領域に表示され得る。メニューは、印刷される一つ又は複数のラベルのプレビューの近傍に表示され得る。
【０１６２】
シリーズ化オプションは、シリーズ化の文字のデフォルトの一つとして随意的に選択し得る。図示の例において、最後の文字は、シリーズ化される文字として選択される。ある実施形態において、第１文字は、シリーズ化される最初の文字として選択される。ある実施形態において、シリーズ化する文字として数字である第１文字が選択される。ある実施形態において、文字のすべてがシリーズ化のために最初に選択される。ある実施形態において、デフォルト選択がなく、ユーザはシリーズ化する一つ又は複数の文字を選択するように促される。
【０１６３】
どの文字がシリーズ化されているかをユーザに例示するため、その文字が強調表示又は任意の適切な態様でマーク付けされる。ある実施形態において、シリーズ化されている文字の周りにボックスが与えられ得る。シリーズ化されている文字に対して、オプションメニュー９０７が表示され得る。これは、シリーズ化されている一つ又は複数の文字、インクリメント値９０８、及びカウント値９１０を表示する。図１９ｂの例において、シリーズ化されている文字は「１」、インクリメント値は「１」、カウントは「１」である。
【０１６４】
図１９ｃが参照され、該図では、ユーザがシリーズ化される第２文字「Ａ」を選択している。これは、ユーザが第２文字をクリック又は他の方法で選択することにより実現され得る。第２オプションメニュー９０９が表示され得、第２オプションメニュー９０９は、第１メニューと同じオプションを有するが、それは第２選択文字に対するものである。そのため、各ラベルは、連続するラベルにおいてインクリメントされた第１及び第２文字の両方を有し、Ａ１、Ｂ２、Ｃ３等を与える。
【０１６５】
連続的にシリーズ化するオプション９１２が提供される。このオプションが選択されると、選択された文字の一つが同じに保たれる一方、文字の他方がその最大限までインクリメントされる。選択された文字の一つは、インクリメントされ、文字の他方はその最大限まで連続的にインクリメントされる。例えば、Ａ１が初期値である。各文字は１のインクリメント値及び３のカウント値を有する。これは次のラベルを与えるであろう。
Ａ１、Ａ２、Ａ３、Ｂ１、Ｂ２、Ｂ３、Ｃ１、Ｃ２、Ｃ３。
【０１６６】
ある実施形態において、値は、インクリメントに代えてデクリメンされ得ることが認識されるべきである。あるいは、「デクリメント」は、負の数の使用により処理され得る。
【０１６７】
グリッドが前述したように提供され得ることが理解されるべきである。ある実施形態において、ユーザは、代替的に又は付加的に、セルのデータを用いる際にデータ入力領域５０６及びシリーズ化においてシリーズ化オプションを選択することができる。
【０１６８】
ユーザに利用可能な別のオプションは、「リコールデータ」機能である。この機能は、ユーザが、前に生成したラベルに対するデータをリコールし、かつそれを新しいラベルに挿入することを可能にする。例えば、ユーザは、図１４に示すような一般ラベルのために一組のデータを作り出したかもしれない。ユーザは、フラグラベル又は一連のフラグラベルの生成のために同じデータを使用することを望むことを決定し得る。ユーザは、ホームボタン４０２を押すことにより、最初にホームスクリーンに戻ることができる。ホームスクリーンから、ユーザは、フラグラベルアイコン４２２をクリックすることにより、フラグラベルの用意を開始することができる。
【０１６９】
ユーザには、フラグラベルを準備するために、図１５に示すユーザインターフェースが提供される。
【０１７０】
ユーザインターフェース８００は、図５に類似して、フォーマット領域８０２と、ラベル編集領域８０４と、データ入力領域８０６とを備える。フラグラベル８２６のプレビューが示され、これは、ケーブル等のオブジェクト８２８に取り付けられた際に現れるであろう。
【０１７１】
ユーザは、リコールアイコン８６０をクリックすることにより、前に保存したデータをリコールすることができる。
【０１７２】
ユーザインターフェース８００は更新され、ユーザに、前のラベルすなわち図１４に示す一般ラベルからのデータに関連するオプションスクリーン８０５(図１６参照)を示す。他の実施形態において、ユーザは、前のラベルからだけでなく、任意の他の保存したラベルからデータをリコールすることができてもよい。
【０１７３】
オプションスクリーン８０５はプレビュー領域８０７を含み、プレビュー領域８０７は、データ入力領域８０６へとリコールされた際にリコールされたデータがどのように見えるかを表示する。ユーザは、「リコール」ボタン８０９を押すことにより、このデータをリコールすることを選択することができる。
【０１７４】
データ入力領域８０６へとデータをリコールする前に、オプションスクリーン８０５は、ユーザがデータのレイアウトを決定することを可能にする。図１６において、ユーザは、８１１で示すものと同じデータレイアウトを維持することを選択している。
【０１７５】
図１７に示すように、ユーザはまた、データの分配を修正することを選択し得る。８１３で示すように、ユーザは、ボックス８１５の上下矢印を用いて、まず第１行の三つのセル上にデータを分配させ、次いで、第２行等に埋めることを決定している。ボックス８１５は、最初にボタン８１７をクリックすることによりイネーブルとなる。
【０１７６】
ユーザはまた、ボタン８１９をクリックすることができる。ボタン８１９は、データを第１列のみに分配させる、すなわちリコールされた全データを単一の列へとリコールさせる。
【０１７７】
図１６から続いて、ユーザが「リコール」ボタン８０９を押した場合、ユーザインターフェース８００は図１８に示すように更新される。ラベル編集領域８０４は、ラベル８２６及びオブジェクト８２８プレビューを表示する。データ入力領域８０６は、図１６に示すプレビューのように、更新されてリコールデータを示す。このデータは、次いで、自動マッピング機能を使用するか又はラベルデータをラベル８２６へとドラッグ及びドロップ（又は別のやり方で選択）することにより、ラベル８２６へとマッピングされ得る。
【０１７８】
一般ラベルからフラグラベルへのデータのリコールが示されたが、ラベルデータは、他のタイプのラベル間、例えば、１１０ブロックラベルとパッチパネルラベルとの間にリコールされることができることが認識されるべきである。ある実施形態において、データをリコールする前に、リコールされたデータが新しいラベルタイプと適合性があるか否かを決定するため、決定がなされ得る。もし適合性がないなら、警告がユーザに提供され得る。
【０１７９】
当業者は、ここに記述した方法のいずれもが、コントローラ（又は、上述した他の同様の装置）を制御するためのコンピュータ可読媒体（例えばスタンドアローンプリンタ内のＣＤＲＯＭ又はメモリ等）に具現化されたコンピュータプログラムを使用して実施され得ることを理解するであろう。
【０１８０】
実施形態は連続テープ又はダイカットラベルと共に使用され得る。ダイカットラベルは、連続的な裏当て層上に設けられるが、個々の事前にカットされたラベルである。該テープ又はダイカットラベルは、カセット内又は単にロール上に設けられ得る。
【０１８１】
上述したものは、ある実施形態の原理を単に例示する。記述した実施形態に対する変更及び変形は、ここに記述した教示に鑑み、当業者には明かであろう。従って、当業者は、ここに明示的に記述してはいないが、記述した実施形態の原理を具現化し、かつ特許請求の範囲に定義される範囲内にある多くの技術を考え出すことができるであろうことが理解される。
【図１】
2016510155.tif 000003
【図２】
2016510155.tif 000004
【図３】
2016510155.tif 000005
【図１５】
2016510155.tif 000006
【図１８】
2016510155.tif 000007
【図１９ｂ】
2016510155.tif 000008
【図１９ｃ】
2016510155.tif 000009
【図４】
2016510155.tif 000010
【図５】
2016510155.tif 000011
【図６】
2016510155.tif 000012
【図７】
2016510155.tif 000013
【図８】
2016510155.tif 000014
【図９】
2016510155.tif 000015
【図１０】
2016510155.tif 000016
【図１１】
2016510155.tif 000017
【図１２】
2016510155.tif 000018
【図１３】
2016510155.tif 000019
【図１４】
2016510155.tif 000020
【図１６】
2016510155.tif 000021
【図１７】
2016510155.tif 000022
【図１９ａ】
2016510155.tif 000023
【国際調査報告】
2016510155.tif 000024
2016510155.tif 000025